(57)【要約】【課題】一つのスイッチで二つの電気器具のＯＮ・ＯＦＦを操作するのに必要な制御部を有する洗面化粧台において、制御部の収納手段を提供する。【解決手段】照明装置Ｌ、防曇ヒータＨ、及びこれらのＯＮ・ＯＦＦを操作するスイッチＳを備える洗面化粧台Ｋにおいて、スイッチＳと、上記照明装置Ｌ及び防曇ヒータＨとはリレー回路を組む制御部Ｃを介して接続されている。制御部Ｃを、照明装置Ｌのケース２内に収納せしめる。蛍光灯１を光源とする照明装置Ｌのケース２内は、通常、適当な隙間を有しているから、制御部Ｃを配設するための収納空間をわざわざ設ける必要がない。ケース２のカバー３は着脱自在であるから、制御部Ｃのメンテナンスが必要なときには、即座に作業に取りかかれる。【選択図】      図２
2004147903.tif 000002
【特許請求の範囲】
【請求項１】
照明装置、防曇ヒータ、及び、これらのＯＮ・ＯＦＦを操作するスイッチを備え、照明装置及び防曇ヒータとスイッチとがリレー回路を含む制御部を介して接続される洗面化粧台において、前記制御部が照明装置のケース内に収納され、当該ケースはカバーが着脱自在に構成されていることを特徴とする洗面化粧台。
【請求項２】
前記照明装置が蛍光灯であって、前記制御部を蛍光灯の長手方向に沿ってケース内に配置した請求項１に記載する洗面化粧台。
【発明の詳細な説明】
【０００１】
【発明の属する技術分野】
本発明は、照明装置と鏡体の防曇ヒータとを備え、一つのスイッチでこれらを制御するようになされた洗面化粧台に関する。
【０００２】
【従来の技術】
特許文献１に、照明装置と鏡体の防曇ヒータとを備える洗面化粧台において、照明装置及び防曇ヒータと、スイッチとの接続部を、本体キャビネットとミラーキャビネットとの間に配設される連結部材の背面側に設けることが記載されている。また特許文献２に、インバータ照明装置を有する洗面化粧台において、インバータ回路部を、再度ボックスの上部に設けた回路収納部収納する構造が記載されている。
【０００３】
【特許文献１】
特開２０００−２７１０２６号公報
【特許文献２】
特許第２８４３１５３号公報
【０００４】
【発明が解決しようとする課題】
前記特許文献１及び２の技術は、スイッチと照明装置とを接続する接続部又は回路部を収納するための収納部を、洗面化粧台に新たに設ける必要のあるものであり、製造の手間が増え、コストを増大させるという欠点がある。
【０００５】
【課題を解決するための手段】
前記従来の問題を解決するために本発明が採用した洗面化粧台の特徴とするところは、照明装置、防曇ヒータ、及び、これらのＯＮ・ＯＦＦを操作するスイッチを備え、照明装置及び防曇ヒータとスイッチとがリレー回路を含む制御部を介して接続されるものにおいて、当該制御部を照明装置のケース内に収納せしめ、当該ケースのカバーを着脱可能に構成したことである。かかる構成の洗面化粧台は、既存の照明装置におけるケース内を、制御部の収納空間として利用するものであるから、製作の手間をあまり増やすことがなく、コストの増大ももたらさない。また、照明装置の着脱自在なカバーを取り外すだけで、メンテナンスを容易に行える。なお、照明装置が蛍光灯である場合には、前記制御部を蛍光灯の長手方向に沿ってケース内に配置することが望ましい。かかる構成により、制御部をケース内へ収納させるに際し、蛍光灯の長さを縮小したり、あるいは、ケースの長手方向の寸法を増大させたりするという不具合を避けることが可能である。
【０００６】
【発明の実施の形態】
［第１の実施形態］
図１及び図２は、本発明を、照明装置Ｌ、防曇ヒータＨ、及びこれらのＯＮ・ＯＦＦを操作するスイッチＳを備える洗面化粧台Ｋに適用した一実施形態を示すものである。照明装置Ｌは、光源を蛍光灯１とするものであって、ケース２の正面側に装着されるカバー３は、着脱自在になされている。防曇ヒータＨは、鏡体Ｍの裏面に配設される曇り止め用のヒータである。スイッチＳは、例えばセンサー式スイッチであって、鏡体Ｍの裏面に配置したセンサーで、手指の接近を検知し、検知信号を出力する。このスイッチＳと、上記照明装置Ｌ及び防曇ヒータＨとは、リレー回路を組む制御部Ｃを介して接続され、センサーから出力される検知信号に基づき、防曇ヒータＨ又は照明装置Ｌを動作させ或いは停止させるようになされている。
【０００７】
本発明は、前記制御部Ｃを、照明装置Ｌのケース２内に収納せしめたところに特色を有している。蛍光灯１を光源とする照明装置Ｌのケース２内は、通常、適当な隙間を有しているから、制御部Ｃを配設するための収納空間をわざわざ設ける必要がない。しかもケース２のカバー３は着脱自在であるから、制御部Ｃのメンテナンスが必要なときには、即座に作業に取りかかれる。
【０００８】
ところで、スイッチＳ部分又は別の箇所にＬＥＤ等の発光手段を設けて発光領域となし、この発光領域を、電気器具の動作状況に応じ、発光・消灯させるようにすることも可能である。例えばスイッチＳ部分に、照明装置ＬがＯＮのときに発光する「照明」の表示と、防曇ヒータＨがＯＮのときに発光する「曇り止め」の表示とを設ける。そして電気器具が動作していない初期状態では、二つの表示はいずれも消灯状態とし、最初に使用者がスイッチＳを操作すると、照明装置ＬがＯＮ動作すると同時に、表示「照明」のみを発光させる。次に、二度目のスイッチ操作を行うと、防曇ヒータをＯＮ動作させると同時に、表示「照明」「曇り止め」の両方を発光させた状態とする。さらにもう一度スイッチ操作を行うと、今度は照明装置をＯＦＦ動作させると同時に、「照明」表示だけを消灯させて、表示「曇り止め」のみ発光させた状態とする。最後にもう一度スイッチ操作を行えば、照明装置及び防曇ヒータ両方がＯＦＦとなると同時に、すべての表示が消灯した初期状態に戻る。なお上記において、二つの表示それぞれに対応する発光手段の発光色を異ならせ、各表示が異なる色に発光するようにしてもよい。
【０００９】
［第２の実施形態］
図３（Ａ）（Ｂ）に示す如く、制御部Ｃを照明装置Ｌのケース２内へ収納するにあたり、制御部Ｃの形状を比較的長尺で厚みの薄いものとし、これを蛍光灯１の長手方向に沿ってほぼ平行となるように配設することが考えられる。かかる構成を採用することにより、制御部Ｃを収納するために、照明装置Ｌのケース２を長手方向に拡大したり、あるいは、蛍光灯１の長さを短縮したりする必要がなくなる。
【００１０】
なお、図３の実施形態では、制御部Ｃをケース２の天井部に配置したが、図４（Ａ）（Ｂ）に示すように、制御部Ｃを、ケース２の正面奥部に配置する構成も可能である。
【００１１】
【発明の効果】
本発明に係る洗面化粧台は、一つのスイッチで、照明装置と防曇ヒータのＯＮ・ＯＦＦを操作するのに必要な制御部を、照明装置のケース内に収納するようにしたから、既存のケースを、制御部の収納空間として利用できる。よって製作の手間を増やすことがなく、コスト増大ももたらさない。しかも照明装置の着脱自在なカバーを取り外すだけで、制御部のメンテナンスを容易に行える。
【００１２】
照明装置が蛍光灯である場合において、制御部を蛍光灯の長手方向に沿ってケース内に配置するようにしたときは、蛍光灯の長さを縮小したり、ケースの長手方向の寸法を増大させたりするという不具合を避けることが可能である。
【図面の簡単な説明】
【図１】本発明の第１実施形態に係る洗面化粧台の正面図である。
【図２】本発明の第１実施形態に関するものであって、カバーを取り外した状態の照明装置の正面図である。
【図３】本発明の第２実施形態に関するものであって、図（Ａ）はカバーを取り外した状態の照明装置の正面図、図（Ｂ）は照明装置の側面断面図である。
【図４】本発明の第２実施形態の異なる例を示すものであって、図（Ａ）はカバーを取り外した状態の照明装置の正面図、図（Ｂ）は照明装置の側面断面図である。
【符号の説明】
１…蛍光灯  ２…ケース  ３…カバー  Ｋ…洗面化粧台  Ｃ…制御回路  Ｈ…防曇ヒータ  Ｌ…照明装置  Ｍ…鏡体  Ｓ…スイッチ
【図１】
2004147903.tif 000003
【図２】
2004147903.tif 000004
【図３】
2004147903.tif 000005
【図４】
2004147903.tif 000006